(57)【要約】【課題】固相担体表面、固相担体に固定化した物質及び反応容器内壁への標識物質由来の非特異的反応を効果的に減少させ、さらに粒子の分散性を向上させることにより高感度かつ再現性に優れた免疫測定用試薬、免疫測定用キット及び免疫測定方法を提供することにある。【解決手段】糖（Ａ）骨格と、炭素数６〜３６のアルキル基と、アミド結合とを有する糖誘導体（Ｘ）を含有する糖誘導体（Ｘ）を含有する免疫測定用試薬。前記の糖誘導体（Ｘ）は、糖（Ａ）骨格と、炭素数６〜３６のアルキル基とが、アミド結合を介して結合していることが好ましい。【選択図】なし【特許請求の範囲】
【請求項１】
糖（Ａ）骨格と、炭素数６〜３６のアルキル基と、アミド結合とを有する糖誘導体（Ｘ）を含有する免疫測定用試薬。
【請求項２】
前記糖誘導体（Ｘ）が、第１級及び／又は第２級アミノ基を有する糖（Ａ１）と炭素数６〜３６のアルキル基を有するカルボン酸（Ｂ１）とをアミド化した構造を有する化合物（Ｘ１）、並びに、カルボキシル基を有する糖（Ａ２）と炭素数６〜３６のアルキル基を有する第１級及び／又は第２級アミン（Ｂ２）とをアミド化した構造を有する化合物（Ｘ２）からなる群から選ばれる少なくとも１種である請求項１に記載の免疫測定用試薬。
【請求項３】
免疫測定用試薬の重量を基準として、糖誘導体（Ｘ）の含有量が０．００１〜５重量％である請求項１又は２に記載の免疫測定用試薬。
【請求項４】
糖（Ａ１）及び糖（Ａ２）が、炭素数が６〜７の糖である請求項２又は３に記載の免疫測定用試薬。
【請求項５】
免疫測定用試薬が、免疫測定用固相担体試薬（Ｅ）であり、免疫測定用固相担体試薬（Ｅ）中にさらに表面に抗原（Ｃ）又は抗体（Ｄ）を固定化した磁性粒子（Ｈ）を含有する請求項１〜４のいずれか１項に記載の免疫測定用試薬。
【請求項６】
磁性粒子（Ｈ）が、体積平均粒子径が１〜２０ｎｍの超常磁性金属酸化物を６０〜９５重量％含有する磁性シリカ粒子である請求項５に記載の免疫測定用試薬。
【請求項７】
免疫測定用試薬が、免疫測定用標識試薬（Ｆ）であり、免疫測定用標識試薬（Ｆ）中にさらに標識物質により標識された測定対象物質（Ｇ）を含有する請求項１〜４のいずれか１項に記載の免疫測定用試薬。
【請求項８】
請求項１〜７のいずれか１項に記載の免疫測定用試薬を含む免疫測定用キット。
【請求項９】
糖誘導体（Ｘ）が存在する液中で、免疫反応を行う免疫測定方法であって、（Ｘ）が糖（Ａ）骨格と、炭素数６〜３６のアルキル基と、アミド結合とを有する糖誘導体である免疫測定方法。
【請求項１０】
免疫反応が、表面に抗原（Ｃ）又は抗体（Ｄ）を固定化した磁性粒子（Ｈ）を用いて行われる請求項９に記載の免疫測定方法。
【請求項１１】
前記糖誘導体（Ｘ）が存在する液の重量を基準として、糖誘導体（Ｘ）の濃度が０．００１〜５重量％である請求項９又は１０に記載の免疫測定方法。
【発明の詳細な説明】
【技術分野】
【０００１】
本発明は、免疫測定用試薬、免疫測定用キット及び免疫測定方法に関する。
【背景技術】
【０００２】
免疫測定試薬においては、血清検体を測定する際に、反応容器、固相担体表面及び固相担体表面に固定化した物質への検体由来の成分の非特異的な反応が特定の検体でみられ、これらの非特異反応が正確な測定を行う妨げとなり、問題となっている（例えば、非特許文献１）。非特異的反応を防止するため、種々の蛋白質、界面活性剤又は塩類等を含有させた免疫測定用試薬が提案されている（例えば、特許文献１〜３）。また、親水部に二糖鎖を有する非イオン性界面活性剤を用いることで、非特異反応を増大させずに、特異反応のみを増大させることが提案されている（例えば、特許文献４）。
【０００３】
また、磁性粒子を用いた免疫測定において、磁性粒子の表面に結合した抗体や抗原により磁力で粒子を回収した際に粒子同士が凝集し、再び分散させることが困難となることがある。その結果、凝集する粒子が存在する等の影響により測定値にばらつきが生じやすく、再現性が悪化する場合がある。多数検体同時迅速検査を目的とした自動化免疫測定装置の開発においては、再現性の良好な免疫測定用試薬の開発がますます重要な課題となっている。
【先行技術文献】
【非特許文献】
【０００４】
【非特許文献１】Ｊａｐａｎｅｓｅ  Ｊｏｕｒｎａｌ  ｏｆ  Ｃｌｉｎｉｃａｌ  Ｌａｂｏｒａｔｏｒｙ  Ａｕｔｏｍａｔｉｏｎ，Ｖｏｌ．３６，Ｎｏ．２，Ｐ２０８−２１３，２０１１
【特許文献】
【０００５】
【特許文献１】特開２００４−１１７３４１号公報
【特許文献２】特開２０１０−１２７８２７号公報
【特許文献３】特開２０１０−２１６９７０号公報
【特許文献４】特開平１１−２５８２３９号公報
【発明の概要】
【発明が解決しようとする課題】
【０００６】
本発明の目的は、固相担体表面、固相担体に固定化した物質及び反応容器内壁への標識物質由来の非特異的反応を効果的に減少させ、さらに粒子の分散性を向上させることにより高感度かつ再現性に優れた免疫測定用試薬、免疫測定用キット及び免疫測定方法を提供することにある。
【課題を解決するための手段】
【０００７】
本発明者らは、上記目的を達成するため鋭意検討した結果、本発明に到達した。
すなわち本発明は、糖（Ａ）骨格と、炭素数６〜３６のアルキル基と、アミド結合とを有する糖誘導体（Ｘ）を含有する免疫測定用試薬；前記免疫測定用試薬を含む免疫測定用キット；前記糖誘導体（Ｘ）の存在下で免疫反応を行う免疫測定方法である。
【発明の効果】
【０００８】
本発明の免疫測定用試薬及び免疫測定用キットを用いれば、高感度かつ再現性高く測定対象物質を測定することができる。また、本発明の免疫測定方法は高感度かつ再現性が高い。
【発明を実施するための形態】
【０００９】
＜免疫測定用試薬＞
本発明の免疫測定用試薬は、糖（Ａ）骨格と、炭素数６〜３６のアルキル基と、アミド結合とを有する糖誘導体（Ｘ）を含有する免疫測定用試薬である。
本発明における糖誘導体（Ｘ）は、上記の通り、糖骨格、アミド結合及びアルキル基を有している。本発明の免疫測定用試薬は、高感度かつ再現性に優れているという効果を奏するが、これは各部位が、以下のように機能し、糖誘導体（Ｘ）が界面活性剤として作用しているためであると推測される。
本発明の糖誘導体（Ｘ）は、後述の抗原（Ｃ）又は抗体（Ｄ）を固定化した磁性粒子（Ｈ）、及び、測定対象物質［後述の抗原（Ｃ）及び抗体（Ｄ）等］に作用して、抗原（Ｃ）又は抗体（Ｄ）の表面において、上記の非特異的反応を抑制し、また、磁性粒子（Ｈ）の分散性を高めることで、上記の効果を奏しているものと考えられる。
ここで、糖誘導体（Ｘ）が有するアミド結合は、エステル結合等と比較すると、抗原（Ｃ）及び抗体（Ｄ）等による加水分解反応等が生じにくいため、糖誘導体（Ｘ）の効果にぶれが生じず、上記の効果に寄与しているものと考えられる。
また、糖誘導体（Ｘ）が有する糖骨格は、適度な親水性を有しつつ、ポリオキシエチレン型界面活性剤と比較すると、ＥＯ付加モル数の分布に由来するばらつきもないため、上記の効果に寄与しているものと考えられる。
また、糖誘導体（Ｘ）が有する炭素数６〜３６のアルキル基は、適度な疎水性を有しているため、上記の効果に寄与しているものと考えられる。
また、糖誘導体（Ｘ）は、糖（Ａ）骨格と、炭素数６〜３６のアルキル基とが、アミド結合を介して結合していることが好ましい。
【００１０】
本発明において、免疫測定用試薬とは、免疫反応を用いた免疫測定に用いられる試薬であり、例えば、（ｉ）表面に抗原（Ｃ）又は抗体（Ｄ）を固定化した磁性粒子（Ｈ）を、測定対象物質と混合して免疫反応させる際（後述する免疫測定用固相担体試薬（Ｅ）として用いる）、（ｉｉ）磁性粒子（Ｈ）の表面の抗原（Ｃ）又は抗体（Ｄ）と測定対象物との複合体と標識測定対象物質とを混合して免疫反応させる際（後述する免疫測定用標識試薬（Ｆ）として用いる）等に用いることができる。
【００１１】
本発明において糖誘導体（Ｘ）は、第１級及び／又は第２級アミノ基を有する糖（Ａ１）と炭素数６〜３６のアルキル基を有するカルボン酸（Ｂ１）とをアミド化した構造を有する化合物（Ｘ１）、並びに、カルボキシル基を有する糖（Ａ２）と炭素数６〜３６のアルキル基を有する第１級及び／又は第２級アミン（Ｂ２）とをアミド化した構造を有する化合物（Ｘ２）からなる群から選ばれる少なくとも１種であることが好ましい。
【００１２】
第１級及び／又は第２級アミノ基を有する糖（Ａ１）において、糖としては、単糖、二糖及び三糖以上の糖等が挙げられるが、感度及び再現性の観点から、単糖が好ましい。
（Ａ１）としては、感度及び再現性の観点から、第１級又は第２級アミノ基を１つ有する糖（Ａ１１）が好ましい。
（Ａ１１）として具体的には、炭素数が６の糖｛グルコサミン、マンノサミン、グルカミン及びガラクトサミン等｝並びに炭素数が７の糖｛Ｎ−メチル−Ｄ−グルカミン、Ｎ−メチル−Ｌ−グルカミン、Ｎ−メチル−Ｄ−グルコサミン及びＮ−メチル−Ｄ−グルコサミン等｝等が挙げられる。
【００１３】
カルボキシル基を有する糖（Ａ２）において、糖としては、単糖、二糖及び三糖以上の糖等が挙げられるが、感度及び再現性の観点から、単糖が好ましい。
（Ａ２）としては、感度及び再現性の観点から、カルボキシル基を１つ有する糖（Ａ２１）が好ましい。
（Ａ２１）としては、炭素数が６の糖｛グルクロン酸、ガラクツロン酸及びグルコン酸等｝並びに炭素数が７の糖｛４−Ｏ−メチルグルクロン酸及び４−Ｏ−メチルグルコン酸等｝等が挙げられる。
【００１４】
炭素数６〜３６のアルキル基を有するカルボン酸（Ｂ１）において、アルキル基は直鎖アルキル基でも分岐アルキル基でもよく、感度及び再現性の観点から、好ましくは直鎖アルキル基である。
（Ｂ１）として具体的には、ヘプタン酸、オクタン酸、ノナン酸、デカン酸、ドデカン酸、テトラデカン酸、ペンタデカン酸、ヘキサデカン酸、ヘプタデカン酸、オクタデカン酸、エイコサン酸、ドコサン酸、テトラコサン酸、ヘキサコサン酸、オクタコサン酸及びトリアコンタン酸等が挙げられる。
（Ｂ１）としては、水への溶解性の観点から、好ましくは炭素数６〜３６のアルキル基を有するカルボン酸であり、さらに好ましくは炭素数６〜１２のアルキル基を有するカルボン酸である。
【００１５】
炭素数６〜３６のアルキル基を有する第１級及び／又は第２級アミン（Ｂ２）において、アルキル基は直鎖アルキル基でも分岐アルキル基でもよく、感度及び再現性の観点から、好ましくは直鎖アルキル基である。
（Ｂ２）としては、感度及び再現性の観点から、第１級又は第２級モノアミン（Ｂ２１）が好ましい。
（Ｂ２１）としては、水への溶解性の観点から、炭素数６〜３６のアルキル基を１つ有している第１級又は第２級モノアミンが好ましく、さらに好ましくは炭素数６〜１２のアルキル基を１つ有している第１級又は第２級モノアミンである。
（Ｂ２１）において、第２級モノアミンは、水への溶解性の観点から、炭素数６〜３６のアルキル基以外に、炭素数１〜５のアルキル基を有していることが好ましい。
（Ｂ２１）として具体的には、第１級モノアミン｛ヘキシルアミン、ヘプチルアミン、オクチルアミン、ノニルアミン、アミノデカン、アミノドデカン、アミノテトラデカン、アミノペンタデカン、アミノヘキサデカン、アミノヘプタデカン及びアミノオクタデカン等｝並びに第２級モノアミン｛メチル（ヘキシル）アミン、メチル（ヘプチル）アミン、メチル（オクチル）アミン、エチル（ヘキシル）アミン、エチル（ヘプチル）アミン及びエチル（オクチル）アミン等｝等が挙げられる。
【００１６】
糖誘導体（Ｘ）としては、再現性の観点から、第１級及び／又は第２級アミノ基を有する糖（Ａ１）と炭素数６〜３６のアルキル基を有するカルボン酸（Ｂ１）とをアミド化した構造を有する化合物（Ｘ１）が好ましく、さらに好ましくはグルカミンと炭素数６〜３６のアルキル基を有するカルボン酸（Ｂ１）とをアミド化した構造を有する化合物である。
【００１７】
糖誘導体（Ｘ）として、具体的には、ｎ−デカノイル−Ｎ−メチル−Ｄ−グルカミン、ｎ−オクタノイル−Ｎ−メチル−Ｄ−グルカミン及びｎ−ノナノイル−Ｎ−メチル−Ｄ−グルカミン等が挙げられる。
【００１８】
本発明の免疫測定用試薬には、上記糖誘導体（Ｘ）以外に、水性溶媒を含有してもよい。
水性溶媒としては、水、生理食塩水、各種緩衝液（リン酸緩衝液、ホウ酸緩衝液、グリシン緩衝液及びＴｒｉｓ緩衝液等）、アルブミン溶液、デキストラン溶液、正常ヒト又は動物血清溶液及び合成高分子溶液並びにこれらの２種以上の混合溶液等が挙げられる。
【００１９】
免疫測定用試薬中の（Ｘ）の含有量は、免疫測定用試薬の重量を基準として、感度及び再現性の観点から、０．００１〜５重量％が好ましく、さらに好ましくは０．０１〜１重量％である。
【００２０】
免疫測定用試薬のｐＨは、免疫反応の反応性の観点から、５〜１０が好ましい。
【００２１】
本発明の免疫測定用試薬としては、免疫測定用固相担体試薬（Ｅ）及び免疫測定用標識試薬（Ｆ）が含まれる。
免疫測定用固相担体試薬（Ｅ）において、固相担体とは上述の固相担体が挙げられる。
（Ｅ）において、感度及び測定時間短縮の観点から、表面に抗原（Ｃ）又は抗体（Ｄ）を固定化した磁性粒子（Ｈ）と糖誘導体（Ｘ）とを含有する固相担体試薬が好ましい。
【００２２】
免疫測定用固相担体試薬（Ｅ）中の（Ｘ）の含有量は、免疫測定用固相担体試薬（Ｅ）の重量を基準として、感度及び再現性の観点から、０．００１〜５重量％が好ましく、さらに好ましくは０．０１〜１重量％である。
【００２３】
免疫測定用固相担体試薬（Ｅ）において、磁性粒子（Ｈ）は、一般的にこの分野で用いられるものであれば特に限定はされず、具体的には、免疫測定において測定時間の短時間化の観点から、例えば特開２０１４−２１０６８０号公報及び特開２０１３−０１９８８９号公報等に記載の公知の磁性シリカ粒子が好ましい。
固相担体として磁性粒子（好ましくは磁性シリカ粒子）を用いる場合、磁石による集磁及び分散が繰り返されるが、分散性が悪い場合、凝集する粒子が存在する等の影響により測定値にばらつきが生じやすい。一方、本発明の糖誘導体（Ｘ）を含有する固相担体試薬とすることにより、分散性が良好となり、再現性を向上させるという本発明の効果を得られる。
【００２４】
磁性シリカ粒子としては、免疫測定において測定時間の短時間化の観点から、シリカのマトリックス中に体積平均粒子径が１〜２０ｎｍで超常磁性を有する金属酸化物が分散されているものが好ましい。超常磁性とは、外部磁場の存在下で物質の個々の原子磁気モーメントが整列し誘発された一時的な磁場を示し、外部磁場を取り除くと、部分的な整列が損なわれ磁場を示さなくなることをいう。
なお、金属酸化物の体積平均粒子径は、任意の２００個の粒子について走査型電子顕微鏡（日本電子株式会社製「ＪＳＭ−７０００Ｆ」）で観察して測定された粒子径の平均値である。
【００２５】
平均粒子径が１〜２０ｎｍで超常磁性を示す超常磁性金属酸化物としては、鉄、コバルト、ニッケル及びこれらの合金等の酸化物が挙げられるが、磁界に対する感応性が優れていることから、酸化鉄が特に好ましい。超常磁性金属酸化物は、１種を単独で用いても２種以上を併用してもよい。
【００２６】
磁性シリカ粒子中の超常磁性金属酸化物の含有量の下限は、６０重量％が好ましく、さらに好ましくは６５重量％であり、上限は９５重量％が好ましく、さらに好ましくは８０重量％である。
超常磁性金属酸化物の含有量が６０重量％以上であると、得られた磁性シリカ粒子の磁性が十分であるため、実際の用途面における分離操作に時間がかからない。９５重量％以下のものは合成が容易である。
なお、磁性シリカ粒子中の超常磁性金属酸化物の含有量が上記範囲であると、磁性が強いため、磁石による集磁及び分散が繰り返されることによる測定値のばらつきが起こりやすいが、糖誘導体（Ｘ）を含有する固相担体試薬とすることにより、分散性が良好となり、再現性を向上させるという本発明の効果を得られやすい。
【００２７】
免疫測定用固相担体試薬（Ｅ）において、磁性シリカ粒子中の超常磁性金属酸化物の含有量（重量％）の数平均値と、免疫測定用固相担体試薬（Ｅ）の重量に対する（Ｘ）の重量割合（重量％）との比率［磁性シリカ粒子中の超常磁性金属酸化物の含有量（重量％）の数平均値／免疫測定用固相担体試薬（Ｅ）の重量に対する（Ｘ）の重量割合（重量％）］は、感度及び再現性の観点から、２０〜１０，０００であることが好ましく、２０〜９，０００であることが更に好ましい。
【００２８】
磁性シリカ粒子の体積平均粒子径は、好ましくは１〜５μｍ、更に好ましくは１〜３μｍである。体積平均粒子径が１μｍ以上であると、分離回収の際の時間が比較的短くなる傾向にある。また、５μｍ以下であると、表面積が比較的大きくなる結果、固定化する物質（対象物質、測定対象物質の類似物質又は測定対象物質と特異的に結合する物質）の結合量も多くなり、結合効率が上昇する傾向にある。
【００２９】
本発明における磁性シリカ粒子の体積平均粒子径は、任意の２００個の磁性シリカ粒子について走査型電子顕微鏡（日本電子株式会社製「ＪＳＭ−７０００Ｆ」）で観察して測定された粒子径の平均値である。
【００３０】
本発明において、抗原（Ｃ）としては、一般的この分野で測定されるものであれば特に限定はされず、具体的には下記免疫測定に用いられる抗原が含まれる。
血清、血液、血漿、尿等の生体体液、リンパ液、血球、各種細胞類等の生体由来の試料中に含まれるヌクレオチド鎖（オリゴヌクレオチド鎖、ポリヌクレオチド鎖）；染色体；核酸（デオキシリボ核酸（ＤＮＡ）、リボ核酸（ＲＮＡ）等）；ペプチド鎖（例えばＣ−ペプチド、アンジオテンシンＩ等）；タンパク質〔例えばプロカルシトニン、免疫グロブリンＡ（ＩｇＡ）、免疫グロブリンＥ（ＩｇＥ）、免疫グロブリンＧ（ＩｇＧ）、免疫グロブリンＭ（ＩｇＭ）、免疫グロブリンＤ（ＩｇＤ）、β２−ミクログロブリン、アルブミン、ヘモグロビン、ミオグロビン、トランスフェリン、プロテインＡ、Ｃ反応性蛋白質（ＣＲＰ）、フェリチン、トロポニンＴ（ＴｎＴ）、ヒト脳性ナトリウム利尿ペプチド前駆体Ｎ端フラグメント（ＮＴ−ｐｒｏＢＮＰ）、これらの分解産物〕；血液凝固関連因子（例えばフィブリノーゲン、フィブリン分解産物、プロトロンビン、トロンビン等）；酵素〔例えばアミラーゼ（例えば膵型、唾液腺型、Ｘ型等）、アルカリホスファターゼ（例えば肝性、骨性、胎盤性、小腸性等）、酸性ホスファターゼ（例えばＰＡＰ等）、γ−グルタミルトランスファラーゼ（例えば腎性、膵性、肝性等）、リパーゼ（例えば膵型、胃型等）、クレアチンキナーゼ（例えばＣＫ−１、ＣＫ−２、ｍＣＫ等）、乳酸脱水素酵素（例えばＬＤＨ１〜ＬＤＨ５等）、グルタミン酸オキザロ酢酸トランスアミナーゼ（例えばＡＳＴｍ、ＡＳＴｓ等）、グルタミン酸ピルビン酸トランスアミナーゼ（例えばＡＬＴｍ、ＡＬＴｓ等）、コリンエステラーゼ（例えばＣｈＥ１〜ＣｈＥ５等）、ロイシンアミノペプチダーゼ（例えばＣ−ＬＡＰ、ＡＡ、ＣＡＰ等）、レニン、プロテインキナーゼ、チロシンキナーゼ等〕及びこれら酵素のインヒビター；ホルモン（例えばＰＴＨ、ＴＳＨ、インシュリン、ＬＨ、ＦＳＨ、エストラジオール、プロラクチン等）；レセプター（例えばエストロゲン、ＴＳＨ等に対するレセプター）；リガンド（例えばエストロゲン、ＴＳＨ等）；細菌（例えば結核菌、肺炎球菌、ジフテリア菌、髄膜炎菌、淋菌、ブドウ球菌、レンサ球菌、腸内細菌、大腸菌、ヘリコバクター・ピロリ等）；ウイルス（例えばルベラウイルス、ヘルペスウイルス、肝炎ウイルス、ＡＴＬウイルス、ＡＩＤＳウイルス、インフルエンザウイルス、アデノウイルス、エンテロウイルス、ポリオウイルス、ＥＢウイルス、ＨＡＶ、ＨＢＶ、ＨＣＶ、ＨＩＶ、ＨＴＬＶ等）；真菌（例えばカンジダ、クリプトコッカス等）；スピロヘータ（例えばレプトスピラ、梅毒トレポネーマ等）；クラミジア、マイコプラズマ等の微生物；当該微生物に由来するタンパク質又はペプチド或いは糖鎖抗原；気管支喘息、アレルギー性鼻炎、アトピー性皮膚炎等のアレルギーの原因となる各種アレルゲン（例えばハウスダスト、例えばコナヒョウダニ、ヤケヒョウダニ等のダニ類、例えばスギ、ヒノキ、スズメノヒエ、ブタクサ、オオアワガエリ、ハルガヤ、ライムギ等の花粉、例えばネコ、イヌ、カニ等の動物、例えば米、卵白等の食物、真菌、昆虫、木材、薬剤、化学物質等に由来するアレルゲン等）；脂質（例えばリポタンパク質等）；プロテアーゼ（例えばトリプシン、プラスミン、セリンプロテアーゼ等）；腫瘍マーカータンパク抗原��例えばＰＳＡ、ＰＧＩ、ＰＧＩＩ等）；糖鎖抗原〔例えばＡＦＰ（例えばＬ１からＬ３等）、ｈＣＧ（ｈＣＧファミリー）、トランスフェリン、ＩｇＧ、サイログロブリン、Ｄｅｃａｙ−ａｃｃｅｌｅｒａｔｉｎｇ−ｆａｃｔｏｒ（ＤＡＦ）、癌胎児性抗原（例えばＣＥＡ、ＮＣＡ、ＮＣＡ−２、ＮＦＡ等）、ＣＡ１９−９、ＰＩＶＫＡ−ＩＩ、ＣＡ１２５、前立腺特異抗原、癌細胞が産生する特殊な糖鎖を有する腫瘍マーカー糖鎖抗原、ＡＢＯ糖鎖抗原等〕；糖鎖（例えばヒアルロン酸、β−グルカン、上記糖鎖抗原等が有する糖鎖等）；糖鎖に結合するタンパク質（例えばヒアルロン酸結合タンパク、βグルカン結合タンパク等）；リン脂質（例えばカルジオリピン等）；リポ多糖（例えばエンドトキシン等）；化学物質（例えばＴ３、Ｔ４、ＦＴ３、ＦＴ４、トリブチルスズ、ノニルフェノール、４−オクチルフェノール、フタル酸ジ−ｎ−ブチル、フタル酸ジシクロヘキシル、ベンゾフェノン、オクタクロロスチレン、フタル酸ジ−２−エチルヘキシル等の環境ホルモン）；人体に投与・接種される各種薬剤及びこれらの代謝物；アプタマー；核酸結合性物質等が挙げられる。
【００３１】
本発明において、抗体（Ｄ）としては、一般的この分野で測定されるものであれば特に限定はされず、具体的には抗原（Ｃ）として例示したものに対する抗体が挙げられる。尚、本発明において用いられる抗体には、パパインやペプシン等の蛋白質分解酵素、或いは化学的分解により生じるＦａｂ、Ｆ（ａｂ’）２フラグメント等の分解産物も包含される。
【００３２】
本発明において、磁性粒子に抗原（Ｃ）又は抗体（Ｄ）を固定化して磁性粒子（Ｈ）とする方法としては、上述の磁性粒子に、抗原（Ｃ）又は抗体（Ｄ）を物理吸着させる方法が挙げられるが、より効率良く測定対象物質等、具体的には、抗原（Ｃ）又は抗体（Ｄ）を固定化させる観点から、グルタルアルデヒド、アルブミン、カルボジイミド、ストレプトアビジン、ビオチン及び官能基を有するアルキルアルコキシシランからなる群から選ばれる少なくとも１種の有機化合物を磁性粒子の表面に結合させ、それらを介して、抗原（Ｃ）又は抗体（Ｄ）を磁性粒子に固定化させるのが好ましく、さらに好ましくは官能基（エチレン性不飽和基、エポキシ基、アミノ基、メルカプト基及びイソシアネート基等）を有するアルキルアルコキシシランを介して固定化させることである。
このような官能基を有するアルキルアルコキシシランとしては、ビニルトリメトキシシラン、ビニルトリエトキシシラン、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、トリス−（トリメトキシシリルプロピル）イソシアヌレート、３−ウレイドプロピルトリアルコキシシラン、３−メルカプトプロピルメチルジメトキシシラン、３−メルカプトプロピルトリメトキシシラン、３−イソシアネートプロピルトリエトキシシラン等が挙げられる。
【００３３】
免疫測定用固相担体試薬（Ｅ）中の磁性粒子（Ｈ）の含有量は、免疫測定用固相担体試薬（Ｅ）の重量を基準として、粒子の洗浄性の観点から、０．０００１〜１０重量％が好ましく、さらに好ましくは０．００１〜１重量％である。
【００３４】
免疫測定用標識試薬（Ｆ）としては、標識物質により標識された測定対象物質（Ｇ）と糖誘導体（Ｘ）とを含有する標識試薬が含まれる。
【００３５】
免疫測定用標識試薬（Ｆ）において、標識物質により標識された測定対象物質（Ｇ）における標識物質は、測定対象物質を標識するために用いられるものであり、
例えば酵素免疫測定法（ＥＩＡ）において用いられるアルカリホスファターゼ、β−ガラクトシダーゼ、ペルオキシダーゼ（以下、ＰＯＤと略記することがある）、マイクロペルオキシダーゼ、グルコースオキシダーゼ、グルコース−６−リン酸脱水素酵素、リンゴ酸脱水素酵素、ルシフェラーゼ、チロシナーゼ、酸性ホスファターゼ等の酵素類；
例えば放射免疫測定法（ＲＩＡ）において用いられる９９ｍＴｃ、１３１Ｉ、１２５Ｉ、１４Ｃ、３Ｈ、３２Ｐ等の放射性同位元素；
例えば蛍光免疫測定法（ＦＩＡ）において用いられるフルオレセイン、ダンシル、フルオレスカミン、クマリン、ナフチルアミン又はこれらの誘導体、グリーン蛍光タンパク質（ＧＦＰ）等の蛍光性物質；
例えばルシフェリン、イソルミノール、ルミノール、ビス（２，４，６−トリフロロフェニル）オキザレート等の発光性物質；
例えばフェノール、ナフトール、アントラセン又はこれらの誘導体等の紫外部に吸収を有する物質；
例えば４−アミノ−２，２，６，６−テトラメチルピペリジン−１−オキシル、３−アミノ−２，２，５，５−テトラメチルピロリジン−１−オキシル、２，６−ジ−ｔ−ブチル−α−（３，５−ジ−ｔ−ブチル−４−オキソ−２，５−シクロヘキサジエン−１−イリデン）−ｐ−トリオキシル等のオキシル基を有する化合物に代表されるスピンラベル化剤としての性質を有する物質等が挙げられる。
これらのうち、感度等の観点から、酵素、蛍光性物質が好ましく、さらに好ましいのはアルカリホスファターゼ、ＰＯＤ及びグルコースオキシダーゼであり、特に好ましいのはＰＯＤである。
【００３６】
標識物質を測定対象物質に結合させるには、一般的にこの分野で用いられる方法、例えば自体公知のＥＩＡ、ＲＩＡ及びＦＩＡ等において一般に行われている自体公知の標識方法［例えば、医化学実験講座、第８巻、山村雄一監修、第１版、中山書店、１９７１；図説  蛍光抗体、川生明著、第１版、（株）ソフトサイエンス社、１９８３；酵素免疫測定法、石川栄治、河合忠、室井潔編、第２版、医学書院、１９８２等］等を利用すればよい。
【００３７】
標識物質の使用量は、用いる標識物質の種類により異なるため一概には言えないが、例えばＰＯＤを標識物質として使用する場合には、測定対象物質と標識物質とを、例えば１：１〜２０のモル比が好ましく、さらに好ましくは１：１〜１０のモル比、特に好ましくは１：１〜２のモル比となるように、緩衝液（トリス緩衝液、リン酸緩衝液、ベロナール緩衝液、ホウ酸緩衝液、グッド緩衝液等の一般的にこの分野で用いられている緩衝液）中に含有させて用いればよい。
尚、前記の緩衝液のｐＨは、抗原抗体反応を抑制しない範囲であればよく、５〜９が好ましい。
また、このような緩衝液中には、目的の抗原抗体反応を阻害しないものであれば、安定化剤（アルブミン、グロブリン、水溶性ゼラチン、ポリエチレングリコール等）、界面活性剤及び糖類等を含有させておいてもよい
【００３８】
免疫測定用標識試薬（Ｆ）中の（Ｘ）の含有量は、免疫測定用標識試薬（Ｆ）の重量を基準として、感度及び再現性の観点から、０．００１〜５重量％が好ましく、さらに好ましくは０．０１〜１重量％である。
【００３９】
免疫測定用標識試薬（Ｆ）中の測定対象物質（Ｇ）の含有量は、感度の観点から、０．０１〜４０μｇ／ｍＬが好ましく、さらに好ましくは０．１〜２０μｇ／ｍＬである。
【００４０】
免疫測定用固相担体試薬（Ｅ）及び免疫測定用標識試薬（Ｆ）中には、免疫反応を妨げない範囲で、その他の成分｛糖（グルコース、シュークロース等）、無機塩（塩化ナトリウム等）、（Ｘ）以外の界面活性剤（モノステアリン酸ポリオキシエチレンソルビタン等）、防腐剤（アジ化ナトリウム等）及び非特異反応防止剤等（正常動物由来のＩｇＧ抗体等）からなる群より選ばれる少なくとも１種等｝を含有させてもよい。
免疫測定用固相担体試薬（Ｅ）及び／又は免疫測定用標識試薬（Ｆ）中糖類、無機塩、界面活性剤、防腐剤及び非特異反応防止剤を含む場合、それぞれの含有量は、（Ｅ）又は（Ｆ）それぞれの重量に基づいて、糖の含有量は０．１〜１０重量％、無機塩の含有量は０．０１〜５重量％、界面活性剤の含有量は０．０２〜５重量％、防腐剤の含有量は０．００１〜０．１重量％、非特異反応防止剤の含有量は０．００１〜５重量％が好ましい。
【００４１】
＜免疫測定用キット＞
本発明の免疫測定用キットは、上記免疫測定用試薬を含む免疫測定用キットである。
本発明においては、（ｉ）磁性粒子（Ｈ）と測定対象物質とを混合して（Ｈ）上の抗原（Ｃ）又は抗体（Ｄ）と測定対象物質とを免疫反応させる際、又は（ｉｉ）（Ｈ）上の（Ｃ）又は（Ｄ）と測定対象物質との複合体と、標識測定対象物質（標識物質により標識された測定対象物質）とを免疫反応させる際に、糖誘導体（Ｘ）を共存させることにより、固相担体表面、固相担体に固定化した物質及び反応容器内壁への標識物質由来の非特異的反応を効果的に減少させることができ、高感度かつ再現性高く測定対象物質を測定することができるものである。したがって、（ｉ）及び／又は（ｉｉ）において糖誘導体（Ｘ）を共存させることができるものであれば、（Ｘ）及び（Ｈ）はどのような形で免疫測定用キットに含まれていてもよく、例えば下記（１）〜（３）が含まれる。
（１）（Ｘ）及び（Ｈ）を含有する免疫測定用固相担体試薬（Ｅ）と、標識物質により標識された測定対象物質（Ｇ）を含有し、（Ｘ）を含有しない標識試薬（Ｆ’）とを含む免疫測定用キット
（２）（Ｈ）を含有し、（Ｘ）を含有しない固相担体試薬（Ｅ’）と、（Ｘ）及び標識物質により標識された測定対象物質（Ｇ）を含有する免疫測定用標識試薬（Ｆ）とを含む免疫測定用キット
（３）（Ｘ）及び（Ｈ）を含有する免疫測定用固相担体試薬（Ｅ）と、（Ｘ）及び標識物質により標識された測定対象物質（Ｇ）を含有する免疫測定用標識試薬（Ｆ）とを含む免疫測定用キット
上記（１）〜（３）において、免疫測定用固相担体試薬（Ｅ）及び免疫測定用標識試薬（Ｆ）中の糖誘導体（Ｘ）、磁性粒子（Ｈ）、測定対象物質（Ｇ）及びその他の成分の好ましい含有量は上述の免疫測定用試薬における免疫測定用固相担体試薬（Ｅ）及び免疫測定用標識試薬（Ｆ）と同様である。
また、固相担体試薬（Ｅ’）及び標識試薬（Ｆ’）中の磁性粒子（Ｈ）、測定対象物質（Ｇ）及びその他の成分の好ましい含有量は上述の免疫測定用固相担体試薬（Ｅ）及び免疫測定用標識試薬（Ｆ）と同様である。
【００４２】
本発明の免疫測定用キットには、免疫測定用固相担体試薬（Ｅ）及び免疫測定用標識試薬（Ｆ）以外に、化学発光試薬（Ｉ）、標準試薬（濃度既知の測定対象物溶液等）、希釈用試薬（高濃度検体の希釈用試薬等）、洗浄試薬（反応容器の洗浄用試薬等）等を含んでもよく、さらに取り扱い説明書、測定に必要な治具等（例えば検体容器等）を含んでもよい。
【００４３】
化学発光試薬（Ｉ）は、上記の標識物質に基づき選択され、例えば、標識物質がペルオキシダーゼである場合、２，３−ジヒドロ−１，４−フタラジンジオン化合物及び化学発光増強剤を必須構成成分としてなる化学発光試薬第１液と、酸化剤及び水を必須構成成分としてなる化学発光試薬第２液とを含んでなる。
【００４４】
２，３−ジヒドロ−１，４−フタラジンジオン化合物としては、例えば、特開平２−２９１２９９号公報、特開平１０−３１９０１５号公報及び特開２０００−２７９１９６号公報等に記載の公知の２，３−ジヒドロ−１，４−フタラジンジオン化合物及びこれらの混合物等が使用できる。
これらの内、ルミノール、イソルミノール、Ｎ−アミノヘキシル−Ｎ−エチルイソルミノール（ＡＨＥＩ）、Ｎ−アミノブチル−Ｎ−エチルイソルミノール（ＡＢＥＩ）及びこれらの金属塩（アルカリ金属塩等）が好ましく、更に好ましいのはルミノール及びその金属塩、特に好ましいのはルミノールのナトリウム塩である。
【００４５】
化学発光増強剤としては、例えば、特開昭５９−５００２５２号公報、特開昭５９−１７１８３９号公報及び特開平２−２９１２９９号公報等に記載の公知の化学発光増強剤及びこれらの混合物等が使用できる。これらの内、化学発光増強効果等の観点から、フェノールが好ましく、更に好ましいのはＰ−ヨードフェノール、４−（シアノメチルチオ）フェノール及び４−シアノメチルチオ−２−クロロフェノール、特に好ましいのは４−（シアノメチルチオ）フェノールである。
【００４６】
化学発光試薬第１液は、液体であることが好ましく、また、酵素の蛍光強度の観点からはアルカリ性であることが好ましい。第１液のｐＨは、７〜１１が好ましく、更に好ましくは８〜１０である。
なお、ｐＨは、ＪＩＳ  Ｋ０４００−１２−１０：２０００に準拠して測定される（測定温度２５℃）。
【００４７】
化学発光試薬第２液が含有する酸化剤としては、例えば、特開平８−２６１９４３号公報及び特開２０００−２７９１９６号公報等に記載の公知の酸化剤等［無機の過酸化物（過酸化水素、過ホウ酸ナトリウム及び過ホウ酸カリウム等）、有機過酸化物（過酸化ジアルキル及び過酸化アシル等）、ペルオクソ酸化合物（ペルオクソ硫酸及びペルオクソリン酸等）等］の水溶液が挙げられる。
これらの内、保存安定性等の観点から、過酸化水素水溶液、過ホウ酸ナトリウム水溶液及び過ホウ酸カリウム水溶液が好ましく、更に好ましいのは過酸化水素水溶液である。
【００４８】
化学発光試薬（Ｉ）として、感度の観点から、ルミノール発光試薬（Ｉ１）及び過酸化水素液（Ｉ２）を含むことが好ましい。
【００４９】
＜免疫測定方法＞
本発明の免疫測定方法は、上記糖誘導体（Ｘ）が存在する液中で、免疫反応を行うものである。
免疫反応は、感度及び測定時間短縮の観点から、表面に抗原（Ｃ）又は抗体（Ｄ）を固定化した磁性粒子（Ｈ）を用いて行われることが好ましい。
また、磁性粒子（Ｈ）として好ましいものは、上記免疫測定用試薬（固相担体試薬）と同様である。また、ｐＨとして好ましい範囲は、上記免疫測定用試薬と同様である。
【００５０】
本発明の免疫測定方法において、免疫反応を行う際の糖誘導体（Ｘ）が存在する液中の糖誘導体（Ｘ）の濃度は、再現性の観点から、糖誘導体（Ｘ）が存在する液の重量を基準として、０．００１〜５重量％が好ましく、さらに好ましくは０．０１〜１重量％である。
なお、糖誘導体（Ｘ）が存在する液の重量とは、液が磁性粒子（Ｈ）を含有する場合は、磁性粒子（Ｈ）の重量も合計して計算する。
【００５１】
本発明における免疫反応の方法には、免疫測定の分野で一般的に行われる文献［例えば、酵素免疫測定法第２版（石川栄治ら編集、医学書院）１９８２年］記載のサンドイッチ法、競合法及び特開平６−１３００６３号公報記載の方法、具体的には以下の３種の方法が含まれる。
【００５２】
本発明における免疫測定方法としては、具体的には以下の３種の方法が含まれる。
＜第１の方法：サンドイッチ法＞
磁性粒子（Ｈ）（好ましくは磁性シリカ粒子）として、測定対象物質と特異的に結合する物質｛測定対象物質結合物質；具体的には、抗原（Ｃ）又は抗体（Ｄ）｝を、粒子の表面に固定化しているものを用いる。
そして、糖誘導体（Ｘ）の存在下、「測定対象物質を含む試料（例えば生体試料）」と、「磁性粒子（Ｈ）」と、「標識物質により標識された測定対象物質と特異的に結合する物質（標識測定対象物質結合物質）」とを接触させる。
これにより、「磁性粒子（Ｈ）に固定化した測定対象物質結合物質」と「測定対象物質」と「標識測定対象物質結合物質」との複合体（標識複合体）を形成させる。
その後、標識複合体を担持した磁性粒子（Ｈ）をＢ／Ｆ分離して、標識複合体中の標識物質量を測定し、その結果に基づいて試料中の測定対象物質を測定する。
【００５３】
＜第２の方法：競合法１＞
磁性粒子（Ｈ）（好ましくは磁性シリカ粒子）として、測定対象物質及び／又は測定対象物質の類似物質｛具体的には、抗原（Ｃ）又は抗体（Ｄ）｝を、粒子の表面に固定化しているものを用いる。
そして、糖誘導体（Ｘ）の存在下、「測定対象物質を含む試料（例えば生体試料）」と、「標識物質により標識された測定対象物質と特異的に結合する物質（標識測定対象物質結合物質）」と、「磁性粒子（Ｈ）」とを接触させる。
これにより、「標識測定対象物質結合物質」に、「磁性粒子（Ｈ）に固定化した測定対象物質及び／又は測定対象物質の類似物質」と、「測定対象物質」とを競合反応させ、「磁性粒子（Ｈ）に固定化した測定対象物質及び／又は測定対象物質の類似物質」と「標識測定対象物質結合物質」との複合体（標識複合体）を形成させる。
その後、標識複合体を担持した磁性粒子（Ｈ）をＢ／Ｆ分離して、標識複合体中の標識物質量を測定し、その結果に基づいて試料中の測定対象物質を測定する。
【００５４】
＜第３の方法：競合法２＞
磁性粒子（Ｈ）（好ましくは磁性シリカ粒子）として、測定対象物質と特異的に結合する物質｛測定対象物質結合物質；具体的には、抗原（Ｃ）又は抗体（Ｄ）｝を、粒子の表面に固定化しているものを用いる。
そして、糖誘導体（Ｘ）の存在下、「測定対象物質を含む試料（例えば生体試料）」と、「標識物質により標識された測定対象物質及び／又は標識物質により標識された測定対象物質の類似物質（標識測定対象物質又はその類似物質）」と、「磁性粒子（Ｈ）」とを接触させる。
これにより、「磁性粒子（Ｈ）に固定化した測定対象物質結合物質」に、「測定対象物質」と、「標識測定対象物質又はその類似物質」とを競合反応させ、「磁性粒子（Ｈ）に固定化した測定対象結合物質」と「標識測定対象物質又はその類似物質」との複合体（標識複合体）を形成させる。
その後、標識複合体を担持した磁性粒子（Ｈ）をＢ／Ｆ分離して、標識複合体中の標識物質量を測定し、その結果に基づいて試料中の測定対象物質を測定する。
【００５５】
本発明における測定対象物質としては、上述の抗原（Ｃ）及び抗体（Ｄ）等が挙げられ、測定対象物質が抗原（Ｃ）の場合は、その抗体（Ｄ）を磁性粒子（Ｈ）に固定化し、測定対象物質が抗体（Ｄ）の場合は、その抗原（Ｃ）を磁性粒子（Ｈ）に固定化する。
【００５６】
本発明における測定対象物質の類似物質（アナログ）としては、「測定対象物質と特異的に結合する物質」が有する「測定対象物質との結合部位」と結合し得るもの、言い換えれば、「測定対象物質」が有する「測定対象物質と特異的に結合する物質」との結合部位を有するもの、更に言い換えれば、「測定対象物質」と「測定対象物質と特異的に結合する物質」との反応時に共存させると、「測定対象物質」と「測定対象物質と特異的に結合する物質」との反応と競合し得るものが挙げられる。
【００５７】
本発明における「測定対象物質と特異的に結合する物質」は、測定対象物質が抗原（Ｃ）であるときは抗体（Ｄ）であり、測定対象物質が抗体（Ｄ）であるときは抗原（Ｃ）である。
【００５８】
本発明の免疫測定方法としては、化学発光酵素免疫測定法（ＣＬＥＩＡ）、酵素免疫測定法（ＥＩＡ）、放射免疫測定法（ＲＩＡ）、電気化学発光免疫測定法（ＥＣＬＩＡ）、蛍光酵素免疫測定法（ＦＥＩＡ）、化学発光免疫測定法（ＣＬＩＡ）、ラッテックス光学免疫測定法（ＬＰＩＡ）及びラッテックス粒子計数免疫凝集測定法（ＣＩＡ）に用いられる検査の測定方法等が挙げられる。
【実施例】
【００５９】
以下、実施例により本発明を更に説明するが、本発明はこれらに限定されるものではない。以下、特に定めない限り、部は重量部を示す。
【００６０】
＜実施例１＞
以下により、固相担体試薬（Ｅ−１）（抗ＣＥＡ抗体結合磁性シリカ粒子含有試薬）、標識試薬（Ｆ’−１）（ＰＯＤ標識抗ＣＥＡ抗体含有試薬）、化学発光試薬第１液（Ｉ−１）及び化学発光試薬第２液（Ｉ−２）から構成される本発明の免疫測定用キット（Ｓ１）を得た。
【００６１】
磁性シリカ粒子（ＰＨ−１）の作製：
＜磁性金属酸化物粒子の作製＞
反応容器に塩化鉄（ＩＩＩ）６水和物１８６部、塩化鉄（ＩＩ）４水和物６８部及び水１２８８部を仕込んで溶解させて５０℃に昇温し、撹拌下温度を５０〜５５℃の保持しながら、２５重量％アンモニア水２８０部を１時間かけて滴下し、水中にマグネタイト粒子を得た。得られたマグネタイト粒子に分散剤であるオレイン酸６４部を加え、２時間撹拌を継続した。室温に冷却後、デカンテーションにより固液分離して得られたオレイン酸が吸着したマグネタイト粒子を水１０００部で洗浄する操作を３回行い、さらにアセトン１０００部で洗浄する操作を２回行い、４０℃で２日間乾燥させることで、体積平均粒子径が１５ｎｍの超常磁性金属酸化物粒子を得た。
【００６２】
＜コア層の作製＞
超常磁性金属酸化物粒子８０部をテトラエトキシシラン２４０部に加えて分散し、分散液（ａ１）を調製した。
次に、反応容器に水５０５０部、２５重量％アンモニア水溶液３５００部、非イオン界面活性剤（「ＮＳＡ−１７」、三洋化成工業（株）製）４００部を加えてクリアミックス（エムテクニック（株）製）を用いて混合し溶液（ａ２）を得た。５０℃に昇温後、クリアミックスの回転数６，０００ｒｐｍで攪拌しながら、上記分散液（ａ１）を溶液（ａ２）に１時間かけて滴下後、５０℃で１時間反応させた。反応後、２，０００ｒｐｍで２０分間遠心分離して微粒子の存在する上清を除き、コア層を得た。
【００６３】
＜磁性シリカ粒子の作製＞
反応容器にコア層８０部、脱イオン水２５００部、２５重量％アンモニア水溶液２６０部、エタノール２５００部、テトラエトキシシラン１２００部を加えてクリアミックス（エムテクニック（株）製）を用いて混合し、クリアミックスの回転数６，０００ｒｐｍで攪拌しながら２時間反応させた。反応後、２，０００ｒｐｍで２０分間遠心分離して微粒子の存在する上清を除去した。遠心分離後沈殿した粒子に脱イオン水を４０００部加えて粒子を再分散させ、分散した粒子を、磁石を用いて粒子を集磁し上清を除く操作を１０回行った。
次に、得られた固相に水５０００部を加えて粒子を分散させて６００ｒｐｍで１０分間遠心分離後、微粒子の存在する上清を除く操作を２０回行い、続いて得られた固相に水５０００部を加えて粒子を分散させて３００ｒｐｍで１０分間遠心分離することにより、大きな粒子径の粒子を沈降させて除去することで分級を行った。
さらに、磁石を用いて粒子を集磁し上澄み液を除去した。その後、水５０００部を加えてコアシェル粒子を分散させた後に、磁石を用いて粒子を集磁し上清を除く操作を１０回行い、目的とする体積平均粒子径２．０μｍの磁性シリカ粒子（ＰＨ−１）を得た。得られた磁性シリカ粒子（ＰＨ−１）中の超常磁性金属酸化物粒子の含有量を測定した結果、含有量は８１重量％であった。
【００６４】
＜粒子（超常磁性金属酸化物粒子及び磁性シリカ粒子）の体積平均粒子径の測定方法＞
走査型電子顕微鏡（型番：ＪＳＭ−７０００Ｆ、メーカー名：日本電子株式会社）を用いて、任意の２００個の超常磁性金属酸化物粒子を観察して粒子径を測定し、体積平均粒子径を求めた。
磁性シリカ粒子についても同様の方法で、体積平均粒子径を求めた。
【００６５】
＜超常磁性金属酸化物粒子の含有量の測定方法＞
磁性シリカ粒子の任意の２０個について、走査型電子顕微鏡（型番ＪＳＭ−７０００Ｆ、メーカー名日本電子株式会社）で観察し、エネルギー分散型Ｘ線分光装置（型番ＩＮＣＡ  Ｗａｖｅ／Ｅｎｅｒｇｙ、メーカー名オックスフォード社）により超常磁性金属酸化物粒子の含有量を測定し、その平均値を含有量Ｓとした。また、同測定にてシリカの含有量を測定し、その平均値を含有量Ｔとした。以下の計算式（１）にて、超常磁性金属酸化物粒子の含有量を求めた。
超常磁性金属酸化物粒子の含有量（重量％）＝（Ｓ）／（Ｓ＋Ｔ）×１００・・・（１）
【００６６】
固相担体試薬（Ｅ−１）の作製：
１重量％γ−アミノプロピルトリエトキシシラン含有アセトン溶液４０ｍＬの入った蓋付きポリエチレン瓶に製造した磁性シリカ粒子（ＰＨ−１）４０ｍｇを加え、２５℃で１時間反応させ、ネオジウム磁石で磁性シリカ粒子を集磁後、液をアスピレーターで吸引除去した。次いで脱イオン水４０ｍＬを加えて蓋をし、ポリスチレン瓶をゆっくりと２回倒置攪拌した後、ネオジウム磁石で磁性シリカ粒子を集磁後、液をアスピレーターで吸引除去して磁性シリカ粒子を洗浄した。この洗浄操作を５回行った。次いで、この洗浄後の磁性シリカ粒子を２重量％グルタルアルデヒド含有水溶液４０ｍＬの入った蓋付きポリエチレン瓶に加え、２５℃で１時間反応させた。そして、脱イオン水４０ｍＬを加えて蓋をし、ポリスチレン瓶をゆっくりと２回倒置攪拌したのち、ネオジウム磁石で磁性シリカ粒子を集磁後、液をアスピレーターで吸引除去して磁性シリカ粒子を洗浄した。この洗浄操作を１０回行った。更にこの洗浄後の磁性シリカ粒子を抗ＣＥＡモノクローナル抗体（ダコジャパン（株）製）を１０μｇ／ｍＬの濃度で含む０．０２Ｍリン酸緩衝液（ｐＨ８．７）１２０ｍＬの入った蓋付きポリエチレン瓶に加え、２５℃で１時間反応させた。反応後、ネオジウム磁石で磁性シリカ粒子を集磁後、抗ＣＥＡモノクローナル抗体含有リン酸緩衝液を除去した。次いで、磁性シリカ粒子を１重量％の牛血清アルブミン含有の０．０２Ｍリン酸緩衝液（ｐＨ７．０）４０ｍＬの入った蓋付きポリエチレン瓶に加え、２５℃で１２時間浸漬させたのち、ネオジウム磁石でシリカ粒子を集磁後、１重量％の牛血清アルブミン含有のリン酸緩衝液を除去した。抗ＣＥＡ抗体結合磁性シリカ粒子濃度として１．０ｍｇ／ｍＬの濃度になるように０．８５重量％のＮａＣｌ及び０．０１重量％Ｎ−デカノイル−Ｎ−メチル−Ｄ−グルカミンを含む０．０２Ｍリン酸緩衝液（ｐＨ７．０）で希釈し、磁性シリカ粒子（Ｈ−１）を含有する固相担体試薬（抗ＣＥＡ抗体結合磁性シリカ粒子含有試薬）（Ｅ−１）を調製し、冷蔵（２〜１０℃）で保存した。
【００６７】
標識試薬（Ｆ’−１）の作製：
抗ＣＥＡモノクローナル抗体（ダコジャパン（株）製）、西洋ワサビ由来ＰＯＤ（東洋紡（株）製）を用い、文献（エス・ヨシタケ、エム・イマガワ、イー・イシカワ、エトール；ジェイ．バイオケム，Ｖｏｌ．９２，１９８２，１４１３−１４２４）に記載の方法でＰＯＤ標識抗ＣＥＡ抗体を調製した。これを０．５重量％の牛血清アルブミン及び界面活性剤として１重量％ナロアクティーＣＬ−１００を含有する０．０２Ｍリン酸緩衝液（ｐＨ７．０）で、ＰＯＤ標識抗ＣＥＡ抗体濃度として１００ｎＭの濃度に希釈し、標識試薬（Ｆ’−１）を調製し、冷蔵（２〜１０℃）で保存した。
【００６８】
化学発光試薬第１液（Ｉ−１）の調製：
ルミノールのナトリウム塩［シグマ  アルドリッチ  ジャパン（株）製］０．７ｇ及び４−（シアノメチルチオ）フェノール０．１ｇを１，０００ｍＬメスフラスコに仕込んだ。３−［４−（２−ヒドロキシエチル）−１−ピペラジニル］プロパンスルホン酸／水酸化ナトリウム緩衝液（１０ｍＭ、ｐＨ８．６）を溶液の容量が１，０００ｍＬになるように仕込み、２５℃で均一混合して化学発光試薬第１液（Ｉ−１）を調製した。測定に用いるまで冷蔵（２〜１０℃）保存した。
【００６９】
化学発光試薬第２液（Ｉ−２）の調製：
１，０００ｍＬ及び過酸化水素［和光純薬工業（株）製、試薬特級、濃度３０重量％］６．６ｇを１，０００ｍＬメスフラスコに仕込んだ。脱イオン水を溶液の容量が１，０００ｍＬになるように仕込み、２５℃で均一混合して化学発光試薬第２液（Ｉ−２）を調製した。測定に用いるまで冷蔵（２〜１０℃）保存した。
【００７０】
＜実施例２〜１１＞
実施例１の「固相担体試薬（Ｅ−１）の作製」において、糖誘導体（Ｘ）又は界面活性剤の種類及び濃度を表１に示すものに変更した以外は同様にして固相担体試薬（Ｅ−２）〜（Ｅ−７）、（Ｅ’−８）〜（Ｅ’−１０）及び（Ｅ−１１）を作製した。
また、実施例１の「標識試薬（Ｆ’−１）の作製」において、糖誘導体（Ｘ）又は界面活性剤の種類及び濃度を表１に示すものに変更した以外は同様にして標識試薬（Ｆ’−２）〜（Ｆ’−７）及び（Ｆ−８）〜（Ｆ−１１）を作製した。さらに、化学発光試薬第１液（Ｉ−１）及び化学発光試薬第２液（Ｉ−２）と組み合わせて免疫測定用キット（Ｓ２）〜（Ｓ１１）とした。
【００７１】
＜実施例１２＞
実施例１の「磁性シリカ粒子（ＰＨ−１）の作製」において、＜コア層の作製＞で、テトラエトキシシラン２４０部をテトラエトキシシラン３６０部に変更した以外は、同様にして体積平均粒子径２．０μｍの磁性シリカ粒子（ＰＨ−２）を得た。得られた磁性シリカ粒子（ＰＨ−２）中の超常磁性金属酸化物粒子の含有量を測定した結果、含有量は６１重量％であった。
次に、実施例３の「固相担体試薬（Ｅ−３）の作製」において、磁性シリカ粒子（ＰＨ−１）に代えて、磁性シリカ粒子（ＰＨ−２）を用いた以外は同様にして、磁性シリカ粒子（Ｈ−２）を含有する固相担体試薬（抗ＣＥＡ抗体結合磁性シリカ粒子含有試薬）（Ｅ−１２）を調製し、冷蔵（２〜１０℃）で保存した。
また、実施例１の「標識試薬（Ｆ’−１）の作製」において、同様操作して標識試薬（Ｆ’−１２）を作製した。さらに、化学発光試薬第１液（Ｉ−１）及び化学発光試薬第２液（Ｉ−２）と組み合わせて免疫測定用キット（Ｓ１２）とした。
【００７２】
＜実施例１３＞
実施例１の「磁性シリカ粒子（ＰＨ−１）の作製」において、＜コア層の作製＞で、テトラエトキシシラン２４０部をテトラエトキシシラン１６０部に変更した以外は、同様にして体積平均粒子径２．０μｍの磁性シリカ粒子（ＰＨ−３）を得た。得られた磁性シリカ粒子（ＰＨ−３）中の超常磁性金属酸化物粒子の含有量を測定した結果、含有量は９０重量％であった。
次に、実施例３の「固相担体試薬（Ｅ−３）の作製」において、磁性シリカ粒子（ＰＨ−１）に代えて、磁性シリカ粒子（ＰＨ−３）を用いた以外は同様にして、磁性シリカ粒子（Ｈ−３）を含有する固相担体試薬（抗ＣＥＡ抗体結合磁性シリカ粒子含有試薬）（Ｅ−１３）を調製し、冷蔵（２〜１０℃）で保存した。
また、実施例１の「標識試薬（Ｆ’−１）の作製」において、同様操作して標識試薬（Ｆ’−１３）を作製した。さらに、化学発光試薬第１液（Ｉ−１）及び化学発光試薬第２液（Ｉ−２）と組み合わせて免疫測定用キット（Ｓ１３）とした。
【００７３】
＜実施例１４＞
実施例３の「固相担体試薬（Ｅ−３）の作製」及び「標識試薬（Ｆ’−３）の作製」において、「抗ＣＥＡモノクローナル抗体（ダコジャパン（株）製）」に代えて「抗ＰＳＡポリクローナル抗体（ダコ・サイトメーション（株）製）」を用いた以外は、実施例１と同様にして免疫測定用キット（Ｓ１４）を得た。
【００７４】
＜実施例１５＞
実施例３の「固相担体試薬（Ｅ−３）の作製」及び「標識試薬（Ｆ’−３）の作製」において、「抗ＣＥＡモノクローナル抗体（ダコジャパン（株）製）」に代えて「抗ＣＡ１９−９抗体（ダコジャパン（株）製）」を用いた以外は、実施例１と同様にして免疫測定用キット（Ｓ１５）を得た。
【００７５】
＜比較例１〜５＞
実施例１の「固相担体試薬（Ｅ−１）の作製」において、界面活性剤の種類及び濃度を表１に示すものに変更した以外は同様にして固相担体試薬（ＨＥ−１）〜（ＨＥ−５）を作製した。
また、「標識試薬（Ｆ’−１）の作製」において界面活性剤の種類及び濃度を表１に示すものに変更した以外は同様にして標識試薬（ＨＦ−１）〜（ＨＦ−５）を作製した。さらに、化学発光試薬第１液（Ｉ−１）及び化学発光試薬第２液（Ｉ−２）と組み合わせて比較用の免疫測定用キット（Ｈ１）〜（Ｈ５）を得た。
【００７６】
【表１】
2019066472.tif 000002
【００７７】
なお、表１において、各成分は下記を用いた。
○糖誘導体（Ｘ）
ｎ−デカノイル−Ｎ−メチル−Ｄ−グルカミン：富士フィルム和光純薬工業（株）製
ｎ−オクタノイル−Ｎ−メチル−Ｄ−グルカミン：富士フィルム和光純薬工業（株）製
○（Ｘ）以外の界面活性剤
ｎ−ドデシル−β−Ｄ−マルトピラノシド：シグマアルドリッチ社製
ｎ−オクチル−β−Ｄ−マルトピラノシド：富士フィルム和光純薬工業（株）製
ナロアクティーＣＬ−１００：三洋化成工業（株）製、「ナロアクティーＣＬ−１００」（ポリオキシアルキレンアルキルエーテル）
また、表１中、「ＣＥＡ」は「抗ＣＥＡモノクローナル抗体」、「ＰＳＡ」は「抗ＰＳＡポリクローナル抗体」、「ＣＡ１９−９」は「抗ＣＡ１９−９抗体」を意味する。
【００７８】
＜実施例１６〜２８＞
得られた免疫測定用キット（Ｓ１）〜（Ｓ１３）を用いて、以下の方法により免疫測定における感度及び同時再現性を評価した。結果を表１に示す。
【００７９】
＜免疫測定における感度及び同時再現性の評価方法＞
固相担体試薬（Ｅ−１）〜（Ｅ−７）、（Ｅ’−８）〜（Ｅ’−１０）及び（Ｅ−１１）〜（Ｅ−１３）を用いて、それぞれ固相担体試薬０．０２５ｍＬと０．０２Ｍリン酸緩衝液（ｐＨ７．０）で調製したＣＥＡ濃度が１．０ｎｇ／ｍＬの標準ＣＥＡ液０．０２５ｍＬを試験管に入れて混合し、試験管中で３７℃３分間反応させ、抗ＣＥＡ抗体結合磁性シリカ粒子／ＣＥＡ複合体を形成させた。反応後、試験管の外側からネオジウム磁石で磁性シリカ粒子を集め、試験管中の液をアスピレーターで除き、ネオジウム磁石を側面から十分に離した。その後、生理食塩水０．５ｍＬを加えて磁性シリカ粒子を分散させて集磁後、アスピレーターで液を除く洗浄操作を３回行った。
【００８０】
続いて、固相担体試薬に対応する０．５重量％の牛血清アルブミン含有する標識試薬（Ｆ’−１）〜（Ｆ’−７）、（Ｆ−８）〜（Ｆ−１１）及び（Ｆ’−１２）〜（Ｆ’−１３）を用いて、それぞれ標準試薬０．０２５ｍＬを試験管に注入し、試験管中で３７℃３分間反応させ、抗ＣＥＡ抗体結合磁性シリカ粒子／ＣＥＡ／ＰＯＤ標識抗ＣＥＡ抗体複合体を形成させた。反応後、試験管の外側からネオジウム磁石で磁性シリカ粒子を１０秒間集め、試験管中の液をアスピレーターで除き、ネオジウム磁石を側面から十分に離した。その後、生理食塩水０．５ｍＬを加えて磁性シリカ粒子を分散させて集磁後、アスピレーターで液を除く洗浄操作を２回行った。
最後に、化学発光試薬第１液（Ｉ−１）０．０７ｍＬと化学発光試薬第２液（Ｉ−２）０．０７ｍＬとを同時に加え、３７℃で４５秒間発光反応させ、化学発光試薬を添加後４３〜４５秒の平均発光量をルミノメーター［ベルトールドジャパン社製「Ｌｕｍａｔ  ＬＢ９５０７」］で測定した。尚、ＣＥＡ濃度が１．０ｎｇ／ｍＬの標準ＣＥＡ液の代わりにＣＥＡ濃度が０ｎｇ／ｍＬの標準ＣＥＡ液を使用して上記と同様の操作を行いバックグラウンドとして用いた。
【００８１】
感度については、ＣＥＡ濃度が１．０ｎｇ／ｍＬと０ｎｇ／ｍＬの標準溶液を用いた免疫測定を行った場合の発光量の比｛（１．０ｎｇ／ｍＬの標準溶液を用いた場合の発光量）／（０ｎｇ／ｍＬの標準溶液を用いた場合の発光量）｝を感度として表１に記載した。
【００８２】
同時再現性については、ＣＥＡ濃度が１．０ｎｇ／ｍＬの標準溶液を用いて免疫測定を行い、それを１０回繰り返し、平均発光量（Ｘ１）と標準偏差（Ｘ２）から以下の計算式で変動係数（ＣＶ）を算出した。
ＣＶ（％）＝（Ｘ２／Ｘ１）×１００
【００８３】
＜実施例２９＞
得られた免疫測定用キット（Ｓ１４）を用いて、以下の方法により免疫測定における感度及び同時再現性を評価した。結果を表１に示す。
【００８４】
＜免疫測定における感度及び同時再現性の評価方法＞
固相担体試薬（Ｅ−１４）０．０２５ｍＬと０．０２Ｍリン酸緩衝液（ｐＨ７．０）で調製したＰＳＡ濃度が５０ｍＡＵ／ｍＬの標準ＰＳＡ液０．０２５ｍＬを試験管に入れて混合し、試験管中で３７℃３分間反応させ、抗ＰＳＡ抗体結合磁性シリカ粒子／ＰＳＡ複合体を形成させた。反応後、試験管の外側からネオジウム磁石で磁性シリカ粒子を１０秒間集め、試験管中の液をアスピレーターで除き、ネオジウム磁石を側面から十分に離した。その後、生理食塩水０．５ｍＬを加えて磁性シリカ粒子を分散させて集磁後、アスピレーターで液を除く洗浄操作を３回行った。
【００８５】
続いて、０．５重量％の牛血清アルブミン含有した標識試薬（Ｆ’−１４）０．０２５ｍＬを試験管に注入し、試験管中で３７℃３分間反応させ、抗ＰＳＡ抗体結合磁性シリカ粒子／ＰＳＡ／ＰＯＤ標識抗ＰＳＡ抗体複合体を形成させた。反応後、試験管の外側からネオジウム磁石で磁性シリカ粒子を１０秒間集め、試験管中の液をアスピレーターで除き、ネオジウム磁石を側面から十分に離した。その後、生理食塩水０．５ｍＬを加えて磁性シリカ粒子を分散させて集磁後、アスピレーターで液を除く洗浄操作を２回行った。
最後に、化学発光試薬第１液（Ｉ−１）０．０７ｍＬと化学発光試薬第２液（Ｉ−２）０．０７ｍＬとを同時に加え、３７℃で４５秒間発光反応させ、化学発光試薬を添加後４３〜４５秒の平均発光量をルミノメーター［ベルトールドジャパン社製「Ｌｕｍａｔ  ＬＢ９５０７」］で測定した。尚、ＰＳＡ濃度が０．０１ｎｇ／ｍＬの標準ＰＳＡ液の代わりにＰＳＡ濃度が０ｎｇ／ｍＬの標準ＰＳＡ液を使用して上記と同様の操作を行いバックグラウンドとして用いた。
【００８６】
感度については、ＰＳＡ濃度が０．０１ｎｇ／ｍＬと０ｎｇ／ｍＬの標準溶液を用いた免疫測定を行った場合の発光量の比｛（０．０１ｎｇ／ｍＬの標準溶液を用いた場合の発光量）／（０ｎｇ／ｍＬの標準溶液を用いた場合の発光量）｝を感度として表１に記載した。
【００８７】
同時再現性については、ＰＳＡ濃度が０．０１ｎｇ／ｍＬの標準溶液を用いて免疫測定を行い、それを１０回繰り返し、平均発光量（Ｘ３）と標準偏差（Ｘ４）から以下の計算式で変動係数（ＣＶ）を算出した。
ＣＶ（％）＝（Ｘ４／Ｘ３）×１００
【００８８】
＜実施例３０＞
得られた免疫測定用キット（Ｓ１５）を用いて、以下の方法により免疫測定における感度及び同時再現性を評価した。結果を表１に示す。
【００８９】
＜免疫測定における感度及び同時再現性の評価方法＞
固相担体試薬（Ｅ−１５）０．０２５ｍＬと０．０２Ｍリン酸緩衝液（ｐＨ７．０）で調製したＣＡ１９−９濃度が１．０Ｕ／ｍＬの標準ＣＡ１９−９液０．０２５ｍＬを試験管に入れて混合し、試験管中で３７℃３分間反応させ、抗ＣＡ１９−９抗体結合磁性シリカ粒子／ＣＡ１９−９複合体を形成させた。反応後、試験管の外側からネオジウム磁石で磁性シリカ粒子を１０秒間集め、試験管中の液をアスピレーターで除き、ネオジウム磁石を側面から十分に離した。その後、生理食塩水０．５ｍＬを加えて磁性シリカ粒子を分散させて集磁後、アスピレーターで液を除く洗浄操作を３回行った。
【００９０】
続いて、０．５重量％の牛血清アルブミン含有した標識試薬（Ｆ’−１５）０．０２５ｍＬを試験管に注入し、試験管中で３７℃３分間反応させ、抗ＣＡ１９−９抗体結合磁性シリカ粒子／ＣＡ１９−９／ＰＯＤ標識抗ＣＡ１９−９抗体複合体を形成させた。反応後、試験管の外側からネオジウム磁石で磁性シリカ粒子を１０秒間集め、試験管中の液をアスピレーターで除き、ネオジウム磁石を側面から十分に離した。その後、生理食塩水０．５ｍＬを加えて磁性シリカ粒子を分散させて集磁後、アスピレーターで液を除く洗浄操作を２回行った。
最後に、化学発光試薬第１液（Ｉ−１）０．０７ｍＬと化学発光試薬第２液（Ｉ−２）０．０７ｍＬとを同時に加え、３７℃で４５秒間発光反応させ、化学発光試薬を添加後４３〜４５秒の平均発光量をルミノメーター［ベルトールドジャパン社製「Ｌｕｍａｔ  ＬＢ９５０７」］で測定した。尚、ＣＡ１９−９濃度が１．０Ｕ／ｍＬの標準ＣＡ１９−９液の代わりにＣＡ１９−９濃度が０Ｕ／ｍＬの標準ＣＡ１９−９液を使用して上記と同様の操作を行いバックグラウンドとして用いた。
【００９１】
感度については、ＣＡ１９−９濃度が１．０Ｕ／ｍＬと０Ｕ／ｍＬの標準溶液を用いた免疫測定を行った場合の発光量の比｛（１．０Ｕ／ｍＬの標準溶液を用いた場合の発光量）／（０Ｕ／ｍＬの標準溶液を用いた場合の発光量）｝を感度として表１に記載した。
【００９２】
同時再現性については、ＣＡ１９−９濃度が１Ｕ／ｍＬの標準溶液を用いて免疫測定を行い、それを１０回繰り返し、平均発光量（Ｘ５）と標準偏差（Ｘ６）から以下の計算式で変動係数（ＣＶ）を算出した。
ＣＶ（％）＝（Ｘ６／Ｘ５）×１００
【００９３】
＜比較例６〜１０＞
実施例１６において、「免疫測定用キット（Ｓ１）」に代えて「比較用の免疫測定用キット（Ｈ１）〜（Ｈ５）」を用いる以外は実施例１６と同様にして免疫測定における感度及び同時再現性を評価した。結果を表１に示す。
【００９４】
表１において、免疫測定用試薬である固相担体試薬及び／又は標識試薬中に糖誘導体（Ｘ）を含有する本発明の実施例１〜１５の免疫測定用キットを用いた実施例１６〜３０の免疫測定方法では、変動係数が２．６％以下であり、糖誘導体（Ｘ）を含まない比較例１〜５の免疫測定用キットを用いた比較例６〜１０の免疫測定方法の変動係数４．４〜６．２と比較して、変動係数が小さく、再現性が優れていることがわかる。
また、実施例１６〜３０の免疫測定方法における感度も３．５以上と比較例と同等以上であり、高感度かつ再現性に優れていることがわかる。さらに、標識試薬中に糖誘導体（Ｘ）を含有する実施例８〜１１においては、変動係数が１．４〜１．７と極めて小さく、再現性に極めて優れていることがわかる。
【産業上の利用可能性】
【００９５】
本発明の免疫測定用試薬、免疫測定用キット及び免疫測定方法は、高感度かつ再現性に優れていることから、放射免疫測定法、酵素免疫測定法、蛍光免疫測定法及び化学発光免疫測定法等の臨床検査に幅広く適用できる。